(57)【要約】      （修正有）【課題】ベッド用保護柵を提供する。【解決手段】保護柵２０はベッドに用いられ、固定フレーム３０、可動フレーム４０およびレバー５０を備える。状況に応じてベッドに別の保護柵を増設することができる。レバー５０が回転することによって可動フレーム４０および固定フレーム３０を固定するか、相対的に回転させることができる。固定フレーム３０は、ベッドの横に装着され、ベッドの足元あたりに向かう一側に上方接続ユニット３２および下方接続ユニット３４を有する。可動フレーム４０は、ベッドの頭あたりに向かう一側に上方連結ユニット４２および下方連結ユニット４４を有する。上方連結ユニット４２は上方接続ユニット３２に連結される。下方連結ユニット４４は下方接続ユニット３４に連結される。【選択図】図２
0003191915.tif 000002
【実用新案登録請求の範囲】
【請求項１】
固定フレーム、可動フレームおよびレバーを備え、
前記固定フレームは、ベッドの横に装着され、上方接続ユニットおよび下方接続ユニットを有し、前記上方接続ユニットは管状部、装着部および弾性ユニットを有し、前記管状部は垂直に伸び、前記装着部は前記管状部の内側に配置され、前記弾性ユニットは前記管状部の中に装着され、底部が前記装着部に据えられ、前記下方接続ユニットは基座、第一歯面およびシャフトを有し、前記第一歯面は前記基座の頂面に配置され、前記シャフトは前記第一歯面の中央から上方に突出し、かつねじ山を有し、
前記可動フレームは、上方連結ユニットおよび下方連結ユニットを有し、前記上方連結ユニットは前記固定フレームの前記上方接続ユニットの前記管状部に装着または嵌合され、かつ当接部を有し、前記当接部は前記弾性ユニットの先端に直接または間接に押され、前記下方連結ユニットは管状部および歯状管部を有し、前記管状部は前記固定フレームの前記下方接続ユニットの前記第一歯面に被さり、前記歯状管部は前記管状部の中に固定され、かつ底面に第二歯面を有し、前記固定フレームの前記下方接続ユニットの前記シャフトは前記歯状管部を貫通し、前記固定フレームの前記第一歯面は前記歯状管部の前記第二歯面と噛み合い、
前記レバーは、ナット部およびハンドルを有し、前記ナット部は前記下方接続ユニットの前記シャフトの前記ねじ山と噛み合い、前記可動フレームの前記下方連結ユニットの先端に当接し、前記ハンドルは前記ナット部の一側から伸びて形成されることを特徴とするベッド用保護柵。
【請求項２】
前記可動フレームの前記下方連結ユニットは、さらに片状部および穿孔を有し、前記片状部は前記下方連結ユニットの前記管状部の内側から伸びて形成され、前記穿孔は前記片状部の中央に形成され、前記固定フレームの前記下方接続ユニットの前記シャフトは前記穿孔を貫通することを特徴とする請求項１に記載のベッド用保護柵。
【請求項３】
前記固定フレームの前記上方接続ユニットは、さらにガイド管を有し、前記ガイド管は前記上方接続ユニットの前記管状部の中に装着され、前記可動フレームの前記上方連結ユニットは前記ガイド管を貫通することを特徴とする請求項１に記載のベッド用保護柵。
【請求項４】
前記固定フレームの前記上方接続ユニットは、さらにワッシャーを有し、前記ワッシャーは前記弾性ユニットと前記可動フレームの前記上方連結ユニットの前記当接部との間に配置されることを特徴とする請求項１に記載のベッド用保護柵。
【請求項５】
前記固定フレームの前記下方接続ユニットの前記シャフトは、さらにストッパーを有し、前記ストッパーは前記レバーの上方に位置付けられることを特徴とする請求項１に記載のベッド用保護柵。
【請求項６】
前記可動フレームの前記上方連結ユニットは、スリーブ管から構成され、前記スリーブ管は前記固定フレームの前記上方接続ユニットの前記管状部に被さることを特徴とする請求項１に記載のベッド用保護柵。
【請求項７】
さらに管状カバーを備え、
前記管状カバーは、前記固定フレームの前記上方接続ユニットの前記管状部に装着され、かつ前記レバーの上方まで下に伸びることを特徴とする請求項１に記載のベッド用保護柵。
【請求項８】
さらに固定ユニットを備え、
前記固定ユニットは、前記固定フレームに上下移動自在に装着され、かつ下方辺縁に係止溝を有し、前記レバーの前記ハンドルは前記係止溝に選択的に差し込まれることを特徴とする請求項１に記載のベッド用保護柵。
【考案の詳細な説明】
【技術分野】
【０００１】
本考案は、ベッドフレームに関し、開放可能な部分を手すりにすることによってベッドに上がったりベッドから降りたりする利便性をはかることができるベッド用保護柵に関するものである。
【背景技術】
【０００２】
一般の保護柵付きベッドでは、保護柵はベッドの横に装着され、長さが相当大きいため、ベッドの側辺を遮断し、ベッドの上で横になる使用者がベッドから落ちることを防止することができる。従来の保護柵はベッドに着脱自在に固定される。ベッドに上がったりベッドから降りたりする時、自らが保護柵の着脱を行うか、誰かに保護柵の着脱をやってもらわなければならないため、使用に非常に不便である。特に体が不自由な人にとって一苦労である。従って、この問題点を改善することは寝具メーカーの研究開発が急がれる課題である。
【考案の概要】
【考案が解決しようとする課題】
【０００３】
本考案は、開放可能な部分を手すりにすることによってベッドに上がったりベッドから降りたりする利便性をはかることができるベッド用保護柵を提供することを主な目的とする。
【課題を解決するための手段】
【０００４】
上述の目的を達成するために、本考案によるベッド用保護柵は、固定フレーム、可動フレームおよびレバーを備える。固定フレームはベッドの横に装着され、上方接続ユニットおよび下方接続ユニットを有する。上方接続ユニットは管状部、装着部および弾性ユニットを有する。管状部は垂直に伸びる。装着部は管状部の内側に配置される。弾性ユニットは管状部の中に装着され、底部が装着部に据えられる。下方接続ユニットは基座、第一歯面およびシャフトを有する。第一歯面は基座の頂面に配置される。シャフトは第一歯面の中央から上方に突出し、かつねじ山を有する。可動フレームは上方連結ユニットおよび下方連結ユニットを有する。上方連結ユニットは固定フレームの上方接続ユニットの管状部に装着または嵌合され、かつ当接部を有し、当接部は弾性ユニットの先端に直接または間接に押される。下方連結ユニットは管状部および歯状管部を有する。管状部は固定フレームの下方接続ユニットの第一歯面に被さる。歯状管部は管状部の中に固定され、かつ底面に第二歯面を有する。固定フレームの下方接続ユニットのシャフトは歯状管部を貫通する。固定フレームの第一歯面は歯状管部の第二歯面と噛み合う。レバーはナット部およびハンドルを有する。ナット部は下方接続ユニットのシャフトのねじ山と噛み合い、可動フレームの下方連結ユニットの先端に当接する。ハンドルはナット部の一側から伸びて形成される。
【０００５】
レバーを異なる方向に回せば、固定フレームに可動フレームを固定し、固定フレームに対し可動フレームを回転させることができる。可動フレームが固定フレームに平行に固定される際、ベッドの上で横になる使用者がベッドから落ちることを防止することができる。可動フレームがベッドから外側に広がって固定される際、ベッドに上がったりベッドから降りたりする空間は形成されると同時に可動フレームは手すりになるため、使用に非常に便利である。
【図面の簡単な説明】
【０００６】
【図１】本考案の第１実施形態による保護柵がベッドに装着され、閉鎖された状態を示す斜視図である。
【図２】本考案の第１実施形態による保護柵を示す斜視分解図である。
【図３】本考案の第１実施形態による保護柵が開放された状態を示す斜視図である。
【図４】本考案の第１実施形態による保護柵が図１に示すように維持された状態を示す断面図である。
【図５】本考案の第１実施形態による保護柵が図３に示すように維持された状態を示す断面図である。
【図６】本考案の第２実施形態による保護柵を示す断面図である。
【考案を実施するための形態】
【０００７】
図１および図２に示すように、本考案の第１実施形態による保護柵２０はベッド１０に用いられ、固定フレーム３０、可動フレーム４０およびレバー５０を備える。状況に応じてベッド１０に別の保護柵１１を増設することができる。図１に示した位置と図３に示した位置との間をレバー５０が回転することによって可動フレーム４０および固定フレーム３０を固定するか、相対的に回転させることができる。
【０００８】
固定フレーム３０は、ベッド１０の横に装着され、ベッド１０の足元あたりに向かう一側に上方接続ユニット３２および下方接続ユニット３４を有する。
【０００９】
図２、図４および図５に示すように、上方接続ユニット３２は管状部３２１、装着部３２２および弾性ユニット３２３を有する。管状部３２１は垂直に伸びる。装着部３２２は片状を呈し、管状部３２１の内側かつ下端に近い部位に固定される。弾性ユニット３２３は管状部３２１の中に装着され、底部が装着部３２２に据えられる。弾性ユニット３２３は圧縮スプリングであるが、これに限らない。
【００１０】
下方接続ユニット３４は、基座３４１、第一歯面３４２およびシャフト３４３を有する。基座３４１は外径の比較的大きい円柱状の大径部３４１ａと、外径の比較的小さい円柱状の小径部３４１ｂとを有する。小径部３４１ｂは大径部３４１ａの上方に固定される。第一歯面３４２は基座３４１の頂面（即ち小径部３４１ｂの頂面）に形成される。シャフト３４３は第一歯面３４２の中央から上方に突出し、中間部位にねじ山３４３ａを有する。図４に示すように、製作の際、基座３４１の大径部３４１ａとシャフト３４３とを連結および固定し、続いて歯面を有するリングをシャフト３４３に被せれば小径部３４１ｂおよび第一歯面３４２が形成される。
【００１１】
可動フレーム４０は、ベッドの頭あたりに向かう一側に上方連結ユニット４２および下方連結ユニット４４を有する。上方連結ユニット４２は上方接続ユニット３２に連結される。下方連結ユニット４４は下方接続ユニット３４に連結される。
【００１２】
上方連結ユニット４２は、垂直方向に伸びて管状を呈し、かつ固定フレーム３０の上方接続ユニット３２の管状部３２１の中に装着される。本実施形態において、上方連結ユニット４２は外径が管状部３２１の内径より小さい。管状部３２１の内部において上方連結ユニット４２をスムーズに上下移動および回転させるために、固定フレーム３０の上方接続ユニット３２はさらに管状部３２１の中に装着されたプラスチック素材のガイド管３２４を有する。上方連結ユニット４２は軸方向に移動かつ回転しながらガイド管３２４を貫通することができる。
【００１３】
上方連結ユニット４２は、当接部４２１を有し、当接部４２１は弾性ユニット３２３の先端に直接または間接に押される。本実施形態において、当接部４２１は即ち上方連結ユニット４２の底部からなる。上方連結ユニット４２は管状を呈し、かつ底部（即ち当接部４２１）と弾性ユニット３２３の当接状態が安定しにくいため、固定フレーム３０の上方接続ユニット３２はさらに弾性ユニット３２３の先端に配置されたワッシャー３２５を有する。弾性ユニット３２３はワッシャー３２５によって可動フレーム４０の上方連結ユニット４２の当接部４２１にしっかり当接することができる。つまり当接部４２１はワッシャー３２５を挟んで弾性ユニット３２３の先端に間接に押される。一方、上方連結ユニット４２が管壁の比較的厚い管状を呈するか、上方連結ユニット４２が末端に底面を有し、閉鎖状態になる際、当接部４２１は弾性ユニット３２３に当接し、弾力を受ける面積が充分であるため、ワッシャー３２５を配置しなくてもよい。
【００１４】
上方連結ユニット４２は、固定フレーム３０の上方接続ユニット３２の管状部３２１に被さるスリーブ管から構成されてもよい。図６に示すように、本考案の第２実施形態において、当接部４２１は上方連結ユニット４２の内部に固定された片状体であり、弾性ユニット３２３の先端に当接し、押される。
【００１５】
下方連結ユニット４４は、管状部４４１、片状部４４２、穿孔４４３および歯状管部４４４を有する。管状部４４１は垂直方向に伸びる。片状部４４２は管状部４４１の先端に位置するように管状部４４１の内側から伸びて形成される。穿孔４４３は片状部４４２の中央に形成される。歯状管部４４４は管状部４４１の中に固定され、かつ底面に第二歯面４４５を有する。第二歯面４４５は固定フレーム３０の下方接続ユニット３４の第一歯面３４２の形に対応する。管状部４４１は固定フレーム３０の第一歯面３４２に被さる。つまり、管状部４４１は基座３４１の小径部３４１ｂに被さるため、第一歯面３４２は管状部４４１の中に隠れる。固定フレーム３０の下方接続ユニット３４のシャフト３４３は歯状管部４４４および穿孔４４３を貫通するため、固定フレーム３０の第一歯面３４２は歯状管部４４４の第二歯面４４５と噛み合う。シャフト３４３のねじ山３４３ａは片状部４４２から上方に突出する。
【００１６】
本実施形態において、下方連結ユニット４４の管状部４４１および片状部４４２は一体成型される。歯状管部４４４は歯面を有するリングから構成され、かつ溶接または別の固定方法によって管状部４４１の中に固定される。一方、歯状管部４４４は一体成型加工によって管状部４４１の中に形成されてもよい。下方連結ユニット４４は必ずしも片状部４４２および穿孔４４３が必要であるとは限らない。
【００１７】
レバー５０は、ナット部５２およびハンドル５４を有する。ナット部５２は形が円柱状を呈する。ハンドル５４はナット部５２の一側から伸びて形成される。本実施形態において、ナット部５２はシェル５２２およびナット５２４を有する。シェル５２２はハンドル５４と一体になる。ナット５２４は溶接または別の固定方法によってシェル５２２の中に固定される。一方、シェル５２２およびナット５２４は一体成型加工によって形成される。ナット部５２は下方接続ユニット３４のシャフト３４３のねじ山３４３ａと噛み合うため、レバー５０はシャフト３４３に沿って回転し、一定の範囲内で上下に移動することができる。可動フレーム４０は弾性ユニット３２３の上に生じたプレストレス力を上方連結ユニット４２によって受けるため、レバー５０の底部は常に可動フレーム４０の下方連結ユニット４４の先端に当接する。
【００１８】
レバー５０が図１および図４に示した部位に位置する際、可動フレーム４０の下方連結ユニット４４と固定フレーム３０の下方接続ユニット３４とは相互に当接し、下方連結ユニット４４の第二歯面４４５と下方接続ユニット３４の第一歯面３４２とを噛み合わせる。このとき可動フレーム４０と固定フレーム３０とは相対的に回転できず、同じ平面に相互に平行するため、使用者がベッドから落ちることを効果的に防止することができる。一方、レバー５０の操作を誤って可動フレーム４０の固定状態を解除することを防止するために、保護柵２０はさらに固定ユニット６０を備える。固定ユニット６０は固定フレーム３０に上下移動自在に固定され、かつ下方辺縁に係止溝６１を有する。レバー５０のハンドル５４は係止溝に差し込まれ、レバー５０の回転をロックする。一方、固定ユニット６０を上昇させ、係止溝６１とレバー５０のハンドル５４とを分離させる際、レバー５０は回転できる。固定ユニット６０は安全スイッチとされ、装着が必要であるか否かは状況によって決まる。組み立ての際、固定ユニット６０は二つのボルトナットセット６２を固定フレーム３０の二つのスリット３５に締め付ける方法または別の連結方法によって固定フレーム３０に連結される。安全スイッチの機能を強化するために、下方のボルトナットセット６２と固定フレーム３０の底部との間に伸縮スプリング６３を増設すれば、固定ユニット６０は外力を受けない状態で下方に位置し、レバー５０の操作を誤ることを防止することができる。
【００１９】
図３および図５に示すように、レバー５０がシャフト３４３に沿って上昇する際、可動フレーム４０は弾性ユニット３２３の上に生じた弾力を受け、レバー５０に伴って上昇し、第二歯面４４５と第一歯面３４２とを分離させる。このとき、可動フレーム４０は固定フレーム３０に対し回転できる。一方、可動フレーム４０が所定角度まで回転し、レバー５０を図１に示した位置に復元させる際、レバー５０は降下し、可動フレーム４０の下方連結ユニット４４の管状部４４１に当接する（下方連結ユニット４４が片状部４４２を有する場合、レバー５０は片状部４４２に当接する）。このとき可動フレーム４０は弾性ユニット３２３の弾力に反発し、降下し、第一歯面３４２と第二歯面４４５とを噛み合わせる。つまり、可動フレーム４０は所定角度で固定される。一方、レバー５０を図１に示した位置に復元させ、固定ユニット６０の係止溝６１にスムーズに差し込むために、図２に示すように、固定ユニット６０の下方辺縁にガイド斜面６４を増設することができる。
【００２０】
図１に示すように、使用者の需要に応じて固定フレーム３０に平行の位置に可動フレーム４０を固定し、可動フレーム４０および固定フレーム３０によって遮断機能を果たすことによってベッドの上で横になる使用者がベッドから落ちることを防止することができる。一方、使用者の需要に応じて可動フレーム４０を開放し、ベッドから外側の所定角度まで回転させれば、可動フレーム４０を手すりとして使用し、ベッドに上がったりベッドから降りたりする利便性をはかることができるだけではく、操作が簡単であり、使用に極めて便利である。
【００２１】
図４に示すように、一方、固定フレーム３０の下方接続ユニット３４のシャフト３４３はさらにストッパー３４４を有する。ストッパー３４４はレバー５０の上方に位置付けられ、レバー５０の上昇可能な最高高度を制限する。上述の実施形態においてストッパー３４４はナットである。下方接続ユニット３４のシャフト３４３はさらにねじ山３４３ａの上方に位置する別のねじ山３４３ｂを有する。ねじ山３４３ｂはストッパー３４４と噛み合う。一方、保護柵２０はさらに管状カバー７０を有する。管状カバー７０はシャフト３４３およびストッパー３４４を遮蔽し、保護機能を果たす。上述の実施形態において、管状カバー７０は二つのシェル７２（図２参照）が合わさることによって構成され、レバー５０の上方まで下に伸びるように固定フレーム３０の上方接続ユニット３２の管状部３２１に固定される。管状カバー７０は長さが適切に設計されれば、レバー５０の上昇可能な高度を制限する機能を兼ねることができる。
【符号の説明】
【００２２】
１：ベッド、  
２０：保護ガード、  
３０：固定フレーム、  
３２：上方接続ユニット、  
３２１：管状部、  
３２２：装着部、  
３２３：弾性ユニット、  
３２４：ガイド管、  
３２５：ワッシャー、  
３４：下方接続ユニット、  
３４１：基座、  
３４１ａ：大径部、  
３４１ｂ：小径部、  
３４２：第一歯面、  
３４３：シャフト、  
３４３ａ：ねじ山、  
３４３ｂ：ねじ山、  
３４４：ストッパー、  
３５：スリット、  
４０：可動フレーム、  
４２：上方連結ユニット、  
４２１：当接部、  
４４：下方連結ユニット、  
４４１：管状部、  
４４２：片状部、  
４４３：穿孔、  
４４４：歯状管部、  
４４５：第二歯面、  
５０：レバー、  
５２：ナット部、  
５２２：シェル、  
５２４：ナット、  
５４：ハンドル、  
６０：固定ユニット、  
６１：係止溝、  
６２：ボルトナットセット、  
６３：伸縮スプリング、  
６４：ガイド斜面、  
７０：管状カバー、  
７２：シェル
【図１】
0003191915.tif 000003
【図２】
0003191915.tif 000004
【図３】
0003191915.tif 000005
【図４】
0003191915.tif 000006
【図５】
0003191915.tif 000007
【図６】
0003191915.tif 000008